(57)【要約】      （修正有）【課題】継ぎ脚によって高さ調整を行うテーブルなどの継ぎ脚構造において、差込連結構造であって、且つ螺合装着される高さ微調整用脚座を、継ぎ脚の有無に関わらず使用できるテーブル等の繋ぎ脚構造を提供する。【解決手段】脚下端に螺合装着する脚座４を備え、差込連結して継ぎ足しするパイプ脚の継ぎ脚構造において、細径の差込挿入部３２にバネ線材を脚軸方向に突出させた抜け止め用の抵抗突部３３を設け、差込挿入部３２を受け入れる脚端部に、前記脚座４を螺合装着する内周面螺条を備えると共に、前記内周面螺条に抵抗突部の通過溝を形成した脚座装着部２１を設けてなる。【選択図】図１
0003205717.tif 000002
【実用新案登録請求の範囲】
【請求項１】
脚下端に螺合装着する脚座を備え、差込連結して継ぎ足しするパイプ脚の継ぎ脚構造において、細径の差込挿入部にバネ線材を脚軸方向に突出させた抜け止め用の抵抗突部を設け、差込挿入部を受け入れる脚端部に、前記脚座を螺合装着する内周面螺条を備えると共に、前記内周面螺条に抵抗突部の通過溝を形成した脚座装着部を設けてなることを特徴とするテーブル等の継ぎ脚構造。
【請求項２】
脚座装着部が筒状樹脂材で形成され、脚端部に上端部分を外嵌合して設けると共に、通過溝を奥方の溝深さが浅くなる傾斜面に形成してなる請求項１記載のテーブル等の継ぎ脚構造。
【請求項３】
脚下端の脚座装着部と差込挿入部を受け入れる脚端部に設けた脚座装着部を同部材で形成してなる請求項２記載のテーブル等の継ぎ脚構造。
【考案の詳細な説明】
【技術分野】
【０００１】
本考案は、テーブルの高さ調整を行う継ぎ脚構造に関するものである。
【背景技術】
【０００２】
テーブル等の高低大きく調整する場合には、テーブル等に装着されている主脚に継ぎ脚を継ぎ足すことで調整される。多用されている継ぎ脚はパイプ脚を採用した場合には、差込連結構造が採用されており、床面等と当接する脚座も主脚及び継ぎ脚の下端への差込装着構造が採用されている。また脚座による高さの微調整を行う構造として、脚座を脚端に螺合装着する構造が知られており、当該螺合構造を主脚の脚端に装着する場合は、継ぎ脚と主脚の着脱構造にも螺合構造が採用されている（特許文献１，２）。
【先行技術文献】
【特許文献】
【０００３】
【特許文献１】実開昭４８−３７１０２号公報。
【特許文献２】特開平１１−２４４０５６号公報。
【考案の概要】
【考案が解決しようとする課題】
【０００４】
特許文献１，２に示された螺合連結構造は高さの微調整が可能であるが、継ぎ脚の連結着脱操作が煩瑣である。これに対して差込連結構造を採用すると連結操作が容易であるが高さの微調整ができない。また差込連結構造の主脚及び継ぎ脚の各脚端に脚座の螺合装着構造を採用することも可能であるが、差込連結構造を採用した場合には何らかの抜け止め構造を備えることが多く、この抜け止め構造には、差込側の外周面にバネ部材を突出させて設けている。このため仮に主脚及び継ぎ脚の各脚端の内周面に脚座の螺合のための螺条面を形成したとしても、継ぎ脚の抜き際に際してこの螺条周面を痛めてしまうことになる。
【０００５】
そこで本考案は、主脚と継ぎ脚に差込構造を採用すると共に、脚座の螺合装着を実現する新規なテーブル等の継ぎ脚構造を提案したものである。
【課題を解決するための手段】
【０００６】
本考案の請求項１記載に係るテーブル等の継ぎ脚構造は、脚下端に螺合装着する脚座を備え、差込連結して継ぎ足しするパイプ脚の継ぎ脚構造において、細径の差込挿入部にバネ線材を脚軸方向に突出させた抜け止め用の抵抗突部を設け、差込挿入部を受け入れる脚端部に、前記脚座を螺合装着する内周面螺条を備えると共に、前記内周面螺条に抵抗突部の通過溝を形成した脚座装着部を設けてなることを特徴とするものである。
【０００７】
而して継ぎ脚の上端の細径の差込挿入部を、主脚（差込み受入れ側の脚）に差込挿着する際に、抵抗突部を通過溝に添わせて挿入することで脚座装着部の内周面螺条を痛めることなく差込連結がなされる。また継ぎ脚を連結しない場合には、脚座を螺合装着することができる。
【０００８】
また本考案の請求項２に係るテーブル等の継ぎ脚構造は、脚座装着部が筒状樹脂材で形成され、脚端部に上端部分を外嵌合して設けると共に、通過溝を奥方の溝深さが浅くなる傾斜面に形成してなるもので、差込挿入部の挿入操作時に抵抗突部に対する当接を柔らかくすると共に、抵抗突部の抵抗感を少なくし、且つ抵抗突部の摩耗を減少させる。
【０００９】
また本考案の請求項３に係るテーブル等の継ぎ脚構造は、特に脚下端（継ぎ脚）の脚座装着部と差込挿入部を受け入れる脚端部（主脚や継ぎ脚）に設けた脚座装着部を同部材で形成してなるもので、共通部材の採用で製造上の利点を有することになる。
【考案の効果】
【００１０】
本考案の構成は、上記のとおりで、主脚と継ぎ脚の着脱連結や継ぎ脚の多段着脱連結に差込構造を採用することで、簡単な操作でテーブル等の高さの調整を行うことができると共に、いずれの高さ調整の状態であっても、何ら支障なく脚座の螺合調整による高さの微調整を可能としたものである。
【図面の簡単な説明】
【００１１】
【図１】本考案の実施形態の説明図で（イ）が継ぎ脚使用時（ロ）が主脚のみの場合を示す。
【図２】同主脚の脚座装着部の拡大断面図。
【図３】同継ぎ脚と脚座の下方斜視図。
【考案を実施するための形態】
【００１２】
次に本考案の実施形態について説明する。実施形態に示した継ぎ脚構造は、テーブル板１の下面に装着した主脚２と、継ぎ脚３の組み合わせ例を示したもので、パイプ脚である主脚２及び継ぎ脚３の各脚端部には、脚座４を螺合装着する脚座装着部２１，３１を設けている。
【００１３】
継ぎ脚３は、先端の細径の差込挿入部３２にバネ線材を脚軸方向に突出させた抜け止め用の抵抗突部３３を設けてなる。この抵抗突部３３は、パイプ脚内にバネ線材をＵ状にして内装することでバネ力を発揮させ、差込挿入部３２に設けた縦長孔３４から曲げられた線材の一部を突出させることで形成したものである。
【００１４】
脚座４は、上方螺軸部４１と、下方座部４２で構成されており、上方螺軸部４１はパイプ脚の略内径に対応する外径としたものである。
【００１５】
脚座装着部２１，３１は、筒状樹脂材で形成され、主脚２及び継ぎ脚３の各脚端部に、上端部分を外嵌合して設けたものである。その内周面には、前記脚座４の上方螺軸部４１と螺合する内周面螺条２１１，３１１を備えると共に、前記内周面螺条２１１，３１１には、抵抗突部３３の通過溝２１２，３１２を形成したものである。前記の通過溝２１２，３１２は、特に奥方の溝深さを浅くした傾斜面に形成したものである。
【００１６】
而して前記のテーブル板１の高さは、主脚２に継ぎ脚３を差込連結して高いテーブルとして使用し（図１イ）、或いは主脚２のみで低いテーブルとして使用するものである。
【００１７】
高いテーブルとして使用する場合には、継ぎ脚３の上端の細径の差込挿入部３２を、主脚２に挿入し、抵抗突部３３の押圧力で抜け止め機能を奏するようにしているものであるが、特に前記の挿着に際して抵抗突部３３を通過溝２１２に添わせて挿入することで、脚座装着部２１の内周面螺条２１１を痛めることなく、継ぎ脚３の脚座装着部３１に脚座４を螺合装着してテーブル高さの微調整を行う。
【００１８】
また低いテーブルとして使用する場合には、主脚２の脚座装着部２１に脚座４を螺合装着してテーブル高さの微調整を行うものである。
【００１９】
尚前記の実施形態は主脚２と継ぎ脚３の組みあわせを例示したが、複数の継ぎ脚３を多段に使用するものであっても良い。
【符号の説明】
【００２０】
１      テーブル板
２      主脚
２１    脚座装着部
２１１    内周面螺条
２１２    通過溝
３      継ぎ脚
３１    脚座装着部
３１１    内周面螺条
３１２    通過溝
３２    差込挿入部
３３    抵抗突部
３４    縦長孔
４      脚座
４１    上方螺軸部
４２    下方座部
【図１】
0003205717.tif 000003
【図２】
0003205717.tif 000004
【図３】
0003205717.tif 000005